(57)【要約】【課題】試験時の誤配線のおそれのない接続器具を提供することである。【解決手段】端子台１６の接続端子１７に接続される端子接続部２８と試験機２２の接続ケーブル２３が接続される試験機接続部２９とを備えた導電性のある接続体２５と、この接続体２５に結合されて前記端子台１６の前記接続端子１７から取り外された配線２０が結合される絶縁性のある配線保持体３０とよりなる電子機器の端子台１６に対する接続器具２６である。【選択図】図３
2007335160.tif 000002
【特許請求の範囲】
【請求項１】
端子台の接続端子に接続される端子接続部と試験機の接続ケーブルが接続される試験機接続部とを備えた導電性のある接続体と、この接続体に結合されて前記端子台の前記接続端子から取り外された配線が結合される絶縁性のある配線保持体とよりなることを特徴とする電子機器の端子台に対する接続器具。
【請求項２】
前記接続体の長さはその長短が複数種類あることを特徴とする請求項１記載の電子機器の端子台に対する接続器具。
【請求項３】
前記接続体は、長手方向に伸縮自在であることを特徴とする請求項１記載の電子機器の端子台に対する接続器具。
【請求項４】
前記接続体の前記端子接続部の両側には絶縁壁が一体的に設けられていることを特徴とする請求項１，２又は３記載の電子機器の端子台に対する接続器具。
【発明の詳細な説明】
【技術分野】
【０００１】
本発明は、継電器等の電気機器に設けられた接続端子に試験機を接続して各種の試験をするために用いられる電子機器の端子台に対する接続器具に関するものである。
【背景技術】
【０００２】
従来、継電器等の電気機器には、多数の接続端子を備えた端子台が設けられている。例えば、図１にその一例を示すが、継電器１の裏面には、端子台２が配設され、この端子台２には多数の接続端子３が設けられている。これらの接続端子３は、内部機器に接続されている端子本体４にビス５をネジ結合して構成されているものであり、このビス５により配線６の端部に固定された穴明きのラグ７を前記端子本体４に結合している。
【０００３】
そこで、継電器１の試験をする場合には、図２に示すように、配線６を取り外して試験機８を接続する必要がある。すなわち、前記継電器１の試験のためには、各部に配線されている配線６を一旦取り外して前記試験機８から引き出された接続ケーブル９を接続端子３に接続する。この場合、試験終了後に取り外した配線６を必ず元の接続端子３に戻すために、端子台２の接続端子３に番号を付しておき、取り外した配線６にラベル１０を貼り付けてそのラベル１０に番号を記している。そして、前記試験機８から引き出された接続ケーブル９の先端には、鰐口状のクリップ１１が設けられており、これらのクリップ１１と前記端子台２の接続端子３との間は、中間接続ケーブル１２により接続されている。この中間接続ケーブル１２は、前記クリップ１１により挟みこまれる導電性の接続部１３と前記接続端子３に接続するための鰐口状のクリップ１４とが設けられている。このようにして、継電器１の端子台２に接続されていた多数の配線６をラベル１０による接続位置メモリをしてから取り外し、代わりに、試験機８の接続ケーブル９をそれぞれの接続端子３に中間接続ケーブル１２を介して接続して各社の試験を行っているものである。そして、試験終了後には、中間接続ケーブル１２を接続端子３から取り外してからラベル１０に表示された数字等にしたがって配線６を元の接続端子３に接続し、継電器１の試験を終了する。
【０００４】
また、継電器に対する配線の誤接続を防止する器具として、特開２０００-１７３６９２号公報に端子の誤接続防止具が開示されている。この誤接続防止具は、その全体が絶縁材料により一体形成されているものであり、一端に継電器の端子台の接続端子に接続される接続部を備え、他端に配線の端子部として露出した導電部を挿入して保持するキャップ状部分を備えているものである。
【０００５】
【特許文献１】特開２０００-１７３６９２号公報
【発明の開示】
【発明が解決しようとする課題】
【０００６】
前述の図１及び図２に示した従来の構造では、各部に配線されている配線６を一旦取り外して前記試験機８から引き出された接続ケーブル９を接続端子３に接続しなければならないが、この場合、きわめて重要な点は、試験終了後に取り外した配線６を必ず元の接続端子３に戻すことである。そのためには、前述のように、端子台２の接続端子３に番号を付しておき、取り外した配線６にラベル１０を貼り付けてそのラベル１０に番号を記すことが行われている。このような配慮は、試験後の配線６の復帰接続が１００％間違いのないようにするためであり、きわめて神経を使う作業である。しかも、取り外した配線６に一々番号付きのラベル１０を取り付けることは、非常に作業の手間がかかるものであり、その作業が複雑であるため、かえって誤りが発生する可能性もある。また、特許文献１に記載された誤接続防止具は、試験すべき継電器の接続端子に接続されているものであり、試験機の接続ケーブルの接続のためには邪魔になり、周辺の接続状態が煩雑になり、能率的ではない。
【課題を解決するための手段】
【０００７】
請求項１記載の発明は、端子台の接続端子に接続される端子接続部と試験機の接続ケーブルが接続される試験機接続部とを備えた導電性のある接続体と、この接続体に結合されて前記端子台の前記接続端子から取り外された配線が結合される絶縁性のある配線保持体とよりなる電子機器の端子台に対する接続器具である。
【０００８】
請求項２記載の発明は、請求項１記載の電子機器の端子台に対する接続器具において、前記接続体の長さはその長短が複数種類あることを特徴とする。
【０００９】
請求項３記載の発明は、請求項１記載の電子機器の端子台に対する接続器具において、前記接続体は、長手方向に伸縮自在であることを特徴とする。
【００１０】
請求項４記載の発明は、請求項１，２又は３記載の電子機器の端子台に対する接続器具において、前記接続体の前記端子接続部の両側には絶縁壁が一体的に設けられていることを特徴とする。
【発明の効果】
【００１１】
請求項１記載の発明によれば、端子台の接続端子から取り外された配線は、絶縁性のある配線保持体で保持されるので、端子台の接続端子の周辺から配線を離間させておくことができて試験機の接続ケーブルを接続する作業の邪魔になることはなく、また、端子台の接続端子と試験機の接続ケーブルとの間は接続体を介在させて接続されるため、スペース的に余裕をもって作業することができ、特に、端子台の接続端子から取り外された配線は接続体に結合された配線保持体に結合されるため、試験後にそれらの配線を元の接続端子に取り付け直すときの誤りが発生する可能性が全くないものである。
【００１２】
請求項２記載の発明によれば、接続体の長さの長短が複数種類あることにより、試験機の接続ケーブルの接続位置が集中することなく分散するので、接続のための作業性がよいとともに短絡事故が発生する可能性もないものである。
【００１３】
請求項３記載の発明によれば、接続体が長手方向に伸縮自在であることにより、試験機の接続ケーブルの接続作業が容易になり、作業性を向上させることができる。
【００１４】
請求項４記載の発明によれば、接続体の端子接続部の両側には絶縁壁が一体的に設けられていることにより、端子台の接続端子部分での短絡事故を確実に防止することができる。
【発明を実施するための最良の形態】
【００１５】
本発明の第一の実施の態様を図３乃至図５に基づいて説明する。まず、継電器１５の裏面には、端子台１６が配設され、この端子台１６には多数の接続端子１７が設けられている。これらの接続端子１７は、内部機器に接続されている端子本体１８にビス１９をネジ結合して構成されているものであり、このビス１９により配線２０の端部に固定された穴明きのラグ２１を前記端子本体１８に結合するように構成されている。つぎに、前記継電器１５の試験をするための試験機２２が設けられ、この試験機２２からは接続ケーブル２３が引き出されている。これらの接続ケーブル２３の先端には、鰐口状のクリップ２４が設けられている。
【００１６】
ついで、導電性のある部材により形成された接続体２５を備えた接続器具２６が設けられている。これらの接続器具２６の前記接続体２５の一端には、一端が前記ビス１９のための開口２７を備えた端子接続部２８が設けられ、他端には前記接続ケーブル２３のクリップ２４が結合される試験機接続部２９が設けられている。また、前記接続器具２６は、絶縁性のある配線保持体３０を備えている。この配線保持体３０は、柔軟に屈撓可能な連結紐３１を備え、この連結紐３１の端部には、前記配線２０のラグ２１を強固に保持する鰐口状のクリップ３２が設けられている。さらに、前記接続体２５の大部分は、その両端の一部を残して熱収縮性樹脂による絶縁膜３３で覆われている。
【００１７】
このような構成において、継電器１５の試験を行うためには、端子台１６の接続端子１７から配線２０を取り外し、その取り外しと同時に接続器具２６のクリップ３２を配線２０のラグ２１に噛み合わせて配線２０を保持する。そして、その作業に継続して、先程取り外した配線２０が接続されていた端子本体１８に接続器具２６の端子接続部２８を接続する。そのため、接続器具２６は端子台１６に接続固定され、取り外した配線２０はその接続器具２６に結合されて保持される。ついで、試験機２２の接続ケーブル２３の先端に設けられたクリップ２４を用いてその接続ケーブル２３を接続器具２６の試験機接続部２９に接続する。このようにして、一極の接続作業が終了する。同様に、必要とする部分の配線２０の取り外しと試験機２２の接続ケーブル２３の接続とを順次行う。このようにして必要とするすべての部分での接続を完了させた上で試験機２２による各種の試験を行う。
【００１８】
ついで、試験が終了した場合には、端子台１６の接続端子１７から接続器具２６を取り外し、すぐに、その接続器具２６に結合されていた配線２０を連結紐３１のクリップ３２から取り外して端子台１６の接続端子１７に接続する。このように、同一の接続端子１７部分で接続器具２６の取り外しと配線２０の接続とを連続作業で行う結果、配線２０の接続間違いが発生することはない。また、接続ケーブル２３のクリップ２４による接続器具２６の試験機接続部２９への接続は、後でゆっくり行えばよい。
【００１９】
つぎに、図６に示すものは、本発明の第二の実施の態様である。第一の実施の態様と同一部分は同一符号で示し、説明も省略する（以下の実施の態様も同様）。すなわち、図４に示す接続器具２６の接続体２５の長さを長短二種類のものを準備し、それらを長短交互に配列して使用するものである。これにより、試験機接続部２９の位置が交互に変化することにより、試験機２２から引き出された接続ケーブル２３のクリップによる接続作業を広い空間で行うことができて余裕のある接続作業を行うことができるものである。
【００２０】
つぎに、図７に示すものは、本発明の第三の実施の態様である。すなわち、本実施の態様においては、接続器具２６の接続体２５の試験機接続部２９側を９０度捻ったものである。そのため、試験機接続部２９の方向が、図示の様態で略垂直になり、クリップ２４が板厚方向に回動しても隣り合うクリップ２４が接触することがなく、試験時における短絡事故が発生することはない。
【００２１】
図８に示すものは、本発明の第四の実施の態様である。すなわち、接続器具２６の接続体２５の部分が工夫されているものであり、端子接続部２８と試験機接続部２９との間にコイル状に巻回されて伸縮する導電体３４を介在したものであり、この導電体３４の表面には絶縁材料により形成された蛇腹３５が設けられている。したがって、本実施の態様における接続器具２６は、伸縮自在なものであり、その接続器具２６を端子台１６に接続固定した後の試験機接続部２９への接続ケーブル２３の接続作業が極めて容易になるものである。
【００２２】
図９に示すものは、本発明の第五の実施の態様である。すなわち、図４に示す接続器具２６の接続体２５の端子接続部２８の両側に絶縁壁３６を形成したものである。そのため、接続器具２６を端子台の接続端子１７に接続した時に、隣り合う接続器具２６の端子接続部２８の接触がなく、短絡事故の発生がない。すなわち、構造的に接続器具２６を端子台の接続端子１７に接続固定する場合に、接続器具２６がビス１９の軸線を中心に回動しやすく、これにより、隣り合う端子接続部２８が接触しやすいものであるが、絶縁壁３６が存することによりそのような接触事故が発生する余地がない。
【００２３】
つぎに、図１０に示すものは、本発明の第六の実施の態様である。本実施の態様においては、接続器具２６に用いられていたクリップ２４を用いずに、ゴムキャップ３７によるものとした。このゴムキャップ３７は、その中心に襞３８のある保持穴３９を有し、配線２０のラグ２１を嵌め込むことにより、簡単には抜けず、しかも、強い力をかければ引き抜きできるように構成されているものである。そのため、配線２０部分の絶縁を兼ねた保持が可能になるものである。
【図面の簡単な説明】
【００２４】
【図１】一般的に使用される継電器の一例を示す斜視図である。
【図２】従来の継電器の試験のための接続状態を示す斜視図である。
【図３】本発明の第一の実施の態様を示す斜視図である。
【図４】その場合に用いられる接続器具の一例を示す斜視図である。
【図５】継電器の端子台の接続端子部分の分解斜視図である。
【図６】本発明の第二の実施の態様を示す斜視図である。
【図７】本発明の第三の実施の態様を示す斜視図である。
【図８】本発明の第四の実施の態様を示す斜視図である。
【図９】本発明の第五の実施の態様を示す斜視図である。
【図１０】本発明の第六の実施の態様を示す斜視図である。
【符号の説明】
【００２５】
１６    端子台
１７    接続端子
２０    配線
２２    試験機
２３    接続ケーブル
２５    接続体
２６    接続器具
２８    端子接続部
２９    試験機接続部
３０    配線保持体
【図１】
2007335160.tif 000003
【図２】
2007335160.tif 000004
【図３】
2007335160.tif 000005
【図４】
2007335160.tif 000006
【図５】
2007335160.tif 000007
【図６】
2007335160.tif 000008
【図７】
2007335160.tif 000009
【図８】
2007335160.tif 000010
【図９】
2007335160.tif 000011
【図１０】
2007335160.tif 000012